(57)【要約】【課題】電柱に不良が生じている場合、電柱が当該不良である旨を確実に警報する。【解決手段】電柱の不良状態を示すデータが記憶されるとともに前記電柱に取り付けられるＩＣタグから前記データを読み取るデータ読み取り部と、前記データ読み取り部にて読み取られた前記データを検出する検出部と、前記検出部が前記データを検出した場合、前記電柱が不良であることを示す警報を発生する警報発生部と、を備えた。【選択図】図１
2007115086.tif 000002
【特許請求の範囲】
【請求項１】
電柱の不良状態を示すデータが記憶されるとともに前記電柱に取り付けられるＩＣタグから前記データを読み取るデータ読み取り部と、
前記データ読み取り部にて読み取られた前記データを検出する検出部と、
前記検出部が前記データを検出した場合、前記電柱が不良であることを示す警報を発生する警報発生部と、
を備えたことを特徴とするＩＣタグ読み取り携帯装置。
【請求項２】
前記データは、前記電柱の不良の度合を示す度合データを有し、
前記警報発生部は、前記電柱の不良が所定度合以上であることを示す前記度合データを前記検出部が検出した場合と、前記電柱の不良が前記所定度合未満であることを示す前記度合データを前記検出部が検出した場合に応じて、異なる警報を発生する、
ことを特徴とする請求項１に記載のＩＣタグ読み取り携帯装置。
【請求項３】
前記度合データは、前記電柱が昇柱を禁止する対象である場合に前記所定度合以上となり、前記電柱が昇柱の際に注意を要する対象である場合に前記所定度合未満となる、
ことを特徴とする請求項２に記載のＩＣタグ読み取り携帯装置。
【請求項４】
前記警報の発生を停止する警報停止部、を備え、
前記警報発生部は、前記警報停止部からの停止指示に基づいて警報の発生を停止する、
ことを特徴とする請求項２又は３に記載のＩＣタグ読み取り携帯装置。
【請求項５】
高度を測定する高度測定部、を備え、
前記警報発生部は、前記警報の発生を停止した後、前記電柱の不良が前記所定度合以上であることを示す前記度合データを前記検出部が検出し、且つ、前記高度測定部が所定高度以上を測定した場合、前記警報を再度発生することを特徴とする請求項４に記載のＩＣタグ読み取り携帯装置。
【請求項６】
高度を測定する高度測定部、を備え、
前記警報発生部は、前記電柱の不良が前記所定度合以上であることを示す前記度合データを前記検出部が検出し、且つ、前記高度測定部が所定高度以上を測定した場合、前記警報を発生することを特徴とする請求項２又は３に記載のＩＣタグ読み取り携帯装置。
【請求項７】
前記警報発生部は、前記警報のレベルを徐々に大とすることを特徴とする請求項５又は６に記載のＩＣタグ読み取り携帯装置。
【請求項８】
前記データは、前記電柱の不良の位置を示す位置データ又は前記電柱の不良の種類を示す種類データの少なくとも一方を有し、
前記警報発生部は、前記検出部が検出する前記データの内容に応じて異なる警報を発生する、
ことを特徴とする請求項２に記載のＩＣタグ読み取り携帯装置。
【請求項９】
前記警報発生部は、前記警報を音声で知らせるためのスピーカを有することを特徴とする請求項１に記載のＩＣタグ読み取り携帯装置。
【請求項１０】
前記警報発生部は、前記警報を光で知らせるための発光素子を有することを特徴とする請求項１又は９に記載のＩＣタグ読み取り携帯装置。
【請求項１１】
前記警報発生部は、前記警報を振動で知らせるための振動素子を有することを特徴とする請求項１、９、１０の何れかに記載のＩＣタグ読み取り携帯装置。
【請求項１２】
前記警報発生部は、前記警報を映像で知らせるためのディスプレイを有することを特徴とする請求項１、９、１０、１１の何れかに記載のＩＣタグ読み取り携帯装置。
【発明の詳細な説明】
【技術分野】
【０００１】
本発明は、ＩＣタグ読み取り携帯装置に関する。
【背景技術】
【０００２】
地上に架設される電線を支持する電柱には、木製のものやコンクリート製のものがあり、これらの電柱に対して保全のため不良の有無の点検が行われている。ここで不良とは、例えば電柱に昇り作業を行うと倒壊する原因となるような損傷、亀裂、腐食等がある状態のことである。点検結果が不良であると、木製の電柱の場合には、例えば不良を示す版を釘で打ち付けたり、コンクリート製の電柱の場合には、例えば不良を示すシール又はテープを貼り付けたりすることによって、電柱が不良であることを表示するようにしている。尚、特許文献１には、ＩＣタグを電柱に取り付けて、リーダ／ライタによって電柱に関するデータの読み取りや記録を行う方法が提案されている。この方法によると、電柱が不良であることを示すデータをＩＣタグに記録しておくことも可能である。
【０００３】
そして、例えば電力会社の作業員が電線の工事や故障修理の作業を行う場合、不良の度合によっては（例えば倒れる可能性のある場合）、電柱に昇ることを禁止し（以下、電柱に昇ることを昇柱と称する）、高所作業車を使って作業を行うようにしている。
【特許文献１】特開２００１−３０３７６７号公報
【発明の開示】
【発明が解決しようとする課題】
【０００４】
しかしながら、電柱に不良の表示が取り付けられていたとしても、例えば作業を行うのが夜中である場合、あるいは、違法な広告が前記表示を覆うように電柱に貼り付けられていた場合、などにおいて作業者が不良の表示を見落としてしまう恐れがあった。
【０００５】
また、不良を示すデータをＩＣタグに記録して電柱に取り付けておいた場合においても、作業者がリーダ／ライタによってＩＣタグの情報を読み取らなければならないため、例えば、不良であることを示すＩＣタグが電柱に取り付けられていることに気づかない恐れがあった。
【０００６】
そして、不良であること気づかずに不良の電柱に昇柱し作業を行うと、電柱が倒壊する可能性があるという問題点があった。
【０００７】
本発明はかかる課題に鑑みてなされたものであり、その目的とするところは、電柱に不良が生じている場合、電柱が当該不良である旨を確実に警報することができるＩＣタグ読み取り携帯装置を提供することにある。
【課題を解決するための手段】
【０００８】
前記課題を解決するための発明は、電柱の不良状態を示すデータが記憶されるとともに前記電柱に取り付けられるＩＣタグから前記データを読み取るデータ読み取り部と、前記データ読み取り部にて読み取られた前記データを検出する検出部と、前記検出部が前記データを検出した場合、前記電柱が不良であることを示す警報を発生する警報発生部と、を備えたことを特徴とする。ＩＣタグに記憶された不良を示すデータを自動的に読み取り、警報を発生することにより、電柱が不良であることを知らせることができる。
【０００９】
また、かかるＩＣタグ読み取り携帯装置において、前記データは、前記電柱の不良の度合を示す度合データを有し、前記警報発生部は、前記電柱の不良が所定度合以上であることを示す前記度合データを前記検出部が検出した場合と、前記電柱の不良が前記所定度合未満であることを示す前記度合データを前記検出部が検出した場合に応じて、異なる警報を発生する、こととしてもよい。電柱が不良であることを不良の度合に応じた警報によって認識することができる。
【００１０】
特に、かかるＩＣタグ読み取り携帯装置において、前記度合データは、前記電柱が昇柱を禁止する対象である場合に前記所定度合以上となり、前記電柱が昇柱の際に注意を要する対象である場合に前記所定度合未満となる、ことが好ましい。このことにより、昇柱を禁止する場合と、昇柱の際に注意を要する場合とを警報によって区別することができる。
【００１１】
また、かかるＩＣタグ読み取り携帯装置において、前記警報の発生を停止する警報停止部、を備え、前記警報発生部は、前記警報停止部からの停止指示に基づいて警報の発生を停止する、こととしてもよい。例えば作業者が警報を確認するまで警報の発生を終了しないようにした場合、警報を停止することによって、警報を確認することができる。
【００１２】
特に、かかるＩＣタグ読み取り携帯装置において、高度を測定する高度測定部、を備え、前記警報発生部は、前記警報の発生を停止した後、前記電柱の不良が前記所定度合以上であることを示す前記度合データを前記検出部が検出し、且つ、前記高度測定部が所定高度以上を測定した場合、前記警報を再度発生することが好ましい。不良の度合が昇柱禁止である場合において、作業者が警報を確認したにもかかわらず、昇柱してしまった場合、再度警報を発生することによって改めて昇柱禁止であることを知らせることができる。
【００１３】
また、かかるＩＣタグ読み取り携帯装置において、高度を測定する高度測定部、を備え、前記警報発生部は、前記電柱の不良が前記所定度合以上であることを示す前記度合データを前記検出部が検出し、且つ、前記高度測定部が所定高度以上を測定した場合、前記警報を発生することとしてもよい。例えば、警報停止部を備えておらず、昇柱した場合にのみ、一定期間警報を発生するようにした場合において、昇柱禁止の電柱に所定高度以上昇柱することを防止できる。
【００１４】
また、かかるＩＣタグ読み取り携帯装置において、前記警報発生部は、前記警報のレベルを徐々に大とすることが好ましい。徐々に警報のレベルを大とすることで、電柱が不良であることを確実に知らせることができる。特に昇柱時に警報が発生することになる場合に効果的である。例えば、昇柱時において作業員が突然の警報に驚いて電柱の足場から足を滑らしてしまう等の危険を防止することができる。
【００１５】
また、かかるＩＣタグ読み取り携帯装置において、前記データは、前記電柱の不良の位置を示す位置データ又は前記電柱の不良の種類を示す種類データの少なくとも一方を有し、前記警報発生部は、前記検出部が検出する前記データの内容に応じて異なる警報を発生する、ことが好ましい。位置データにより不良の位置をある程度特定することができる。また種類データによって、電柱にどのような不良があるのかを認識することができる。位置データ又は種類データの少なくとも一方を有することにより、例えば、度合データが昇柱に注意を要することを示すものである場合に、不良箇所の特定および昇柱出来るか否かの確認を効果的に行うことができる。
【００１６】
また、かかるＩＣタグ読み取り携帯装置において、前記警報発生部は、前記警報を音声で知らせるためのスピーカを有していてもよい。例えば、作業者が昇柱中であるためＩＣタグ読み取り携帯装置を見ることができないような状態においても、スピーカからの音声によって電柱が不良であることを知らせることができる。
【００１７】
また、かかるＩＣタグ読み取り携帯装置において、前記警報発生部は、前記警報を光で知らせるための発光素子を有していてもよい。例えば、夜間の閑静な住宅地など音声を出力すると迷惑となるような状況において、電柱が不良であることを発光によって知らせることができる。
【００１８】
また、かかるＩＣタグ読み取り携帯装置において、前記警報発生部は、前記警報を振動で知らせるための振動素子を有していてもよい。例えば、道路の騒音等によって音声を聞き取ることが困難であり、また発光に気づきにくい日中の場合においても、電柱が不良であることを振動によって効果的に知らせることができる。
【００１９】
また、かかるＩＣタグ読み取り携帯装置において、前記警報発生部は、前記警報を映像で知らせるためのディスプレイを有していてもよい。ディスプレイに表示される不良の位置、種類、度合などの視覚情報によって、電柱の不良内容を作業者に容易に認識させることができる。
【発明の効果】
【００２０】
本発明によれば、電柱に不良が生じている場合、電柱が当該不良である旨を確実に警報することができる。
【発明を実施するための最良の形態】
【００２１】
本明細書及び添付図面の記載により、少なくとも以下の事項が明らかとなる。
【００２２】
＝＝＝システム構成＝＝＝
図３は、本発明の実施形態に係るＩＣタグ読み取り携帯装置を用いたシステム構成の一例を示す図である。
【００２３】
図３に示すシステムは、ＩＣタグ２と、ＩＣタグ読み取り携帯装置４とから構成される。ＩＣタグ２は、電柱１に取り付けられている。ＩＣタグ読み取り携帯装置４は、例えば、電力会社の作業員が昇柱などの高所作業時に身につける柱上安全帯３（安全ロープなどへの引っ掛けの付いた腰ベルト）に取り付けられている。
【００２４】
≪ＩＣタグの構成≫
図４は、ＩＣタグ２の構成の一例を示す図である。ＩＣタグ２は、平板状のベース部材７上に、ＩＣチップ６ａとアンテナ６ｂを含む電気回路６を設け、それらを、例えば合成樹脂８により被膜したものである。また、ＩＣチップ６ａは、例えば電柱１の不良状態を示すデータを記憶するための記憶部５を有している。
【００２５】
ＩＣタグ２の記憶部５には、点検結果による不良状態を示すデータ（例えば不良の位置データ、種類データ、度合データ）や、各電柱に割り当てられた識別番号がリーダ／ライタ（不図示）により非接触で記録される。
【００２６】
位置データとしては、不良の位置、例えば電柱１の地上に露出している部分を鉛直方向に３等分するとした場合、不良の位置が３等分したうちの上部、中部、下部、あるいは地中の何れであるかが記録される。  
種類データとしては、不良の種類、例えば損傷、亀裂、腐食などが記録される。  
度合データとしては、所定度合を基準として不良を、例えばレベル１とレベル２の２段階に分けた場合、その何れのレベル（度合）であるかが記録される。本実施の形態では、レベル１は、所定度合未満（例えば、点検時には昇柱禁止の度合ではないが、柱昇する際には不良箇所が点検時のときから拡大していないかの確認が必要等、電柱が昇柱の際に注意を要する対象である場合）であることとし、レベル２は、所定度合以上（昇柱すると例えば倒壊の可能性があるなど、電柱が昇柱禁止の対象である場合）であることとする。不良の度合に応じてレベルをさらに多段階に設けてもよい。
【００２７】
ところで、電柱１に昇柱するには、梯子５２、及び電柱１に取り付けられた、例えば鉄製の足場５０に足を掛けて昇ることになる。電柱１の不良には、この足場５０が不良の場合もある。その場合には、仮設用の足場を持って、足場１本１本を確実に点検しながら昇柱する必要がある。一方、足場５０以外が不良である場合には、仮設足場を使用して昇柱したとしても、作業者の体重が掛かること等によって電柱１が倒壊してしまう恐れがある。従って、ＩＣタグ２の不良を示すデータに不良が足場５０であるのか否かを示すデータを含めてもよい。
【００２８】
尚、後述するＩＣタグ読み取り携帯装置４にリーダ／ライタの機能をもたせ、ＩＣタグ読み取り携帯装置４によってＩＣタグ２にデータを記録するようにしてもよい。また、ＩＣタグ２は、電柱１が不良である場合に当該電柱１に取り付けられることになるが、例えば電柱１の不良を修理した後に、ＩＣタグ２の記憶部５に記録された不良状態を示すデータを削除して、ＩＣタグ２をそのまま電柱１に取り付けておいてもよい。この場合、電柱１にＩＣタグ２が取り付けられていても、不良状態を示すデータはＩＣタグ２から送信されないことになる。さらに、この場合、点検結果以外の他の設備情報、例えば、所在地、新設施行年月日、メンテナンス履歴、電柱１に架設される電線の仕様などを、ＩＣタグ２の記憶部５に記録するようにしてもよい。このようにＩＣタグ２に設備情報を記憶させておくことによって、リーダ／ライタでそれらの情報を読み取ることができ、ＩＣタグ２を電柱１の情報記録媒体として汎用的に使用することができる。
【００２９】
ＩＣタグ２はカード状であり、湾曲した電柱１の外周にも無理なく取り付けることができる。尚、電柱１にＩＣタグ２を取り付ける方法としては、例えばＩＣタグ２の電柱１に接する面を、例えば風雨等により剥がれることのない強力な粘着シールとすることによって電柱１に貼り付けてもよいし、ＩＣタグ２を電柱１に保持する保持部材をＩＣタグ２に設けることによって電柱１に取り付けてもよい。
【００３０】
図５は、ＩＣタグ２に保持部材を設けた一例を示す図である。（ａ）は、保持部材を設けたＩＣタグ２の斜視図であり、（ｂ）はＩＣタグ２を電柱１に取り付けた場合を示す斜視図である。  
図５（ａ）に示すＩＣタグ２には、当該ＩＣタグ２における紙面左側と紙面右側にそれぞれ保持部材として、例えばゴムのバンド１０とバンド１２が、例えば接着剤によって一体に設けられている。また、バンド１０の先端には係止突片１０ａが、バンド１２の先端には係止輪１２ａが、それぞれ設けられている。  
そして、このバンド１０とバンド１２を電柱１の外周に回し、係止輪１２ａに係止突片１０ａを挿入係止することによって図５（ｂ）に示すようにＩＣタグ２を電柱１に取り付けることができる。
【００３１】
≪ＩＣタグ読み取り携帯装置の構成≫
図１及び図２を参照しつつ、本発明の実施形態にかかるＩＣタグ読み取り携帯装置の構成について説明する。図１は、本発明の実施形態にかかるＩＣタグ読み取り携帯装置４の一例を示すブロック図である。図２は、本発明の実施形態に係るＩＣタグ読み取り携帯装置４の一例を示す正面図である。
【００３２】
ＩＣタグ読み取り携帯装置４は、送受信部３０（データ読み取り部）、記憶部３２、データ処理部３４（検出部）、入力部３８、警報発生部４０、高度測定部３９を有している。
【００３３】
送受信部３０は、ＩＣタグ２との通信を行うものであり、ＩＣタグ２に電柱１の不良状態を示すデータが記録されている場合、ＩＣタグ２から当該データを読み取る。尚、ＩＣタグ読み取り携帯装置４がリーダ／ライタの機能を有する場合、送受信部３０からＩＣタグ２に、例えば不良状態を示すデータを送信するようになっている。  
データ処理部３４は、送受信部３０にて読み取られたデータから、電柱１の不良状態を検出し、警報発生部４０に不良状態に応じた警報を発生するべく指示する。  
記憶部３２は、例えば送受信部３０にて読み取られたデータを一時的に記憶するものである。
【００３４】
入力部３８は、例えば図２に示すようなキーボード３８であり、ＩＣタグ読み取り携帯装置４がリーダ／ライタの機能を有する場合、ＩＣタグ２に記録するデータを入力するものである。尚、ＩＣタグ読み取り携帯装置４がリーダ／ライタの機能を有していない場合には入力部３８は不要である。
【００３５】
高度測定部３９は、例えば気圧の変化に基づいて高度を測定する高度センサである。尚、高度測定部３９は、地面からの高度（絶対値）を測定するものとしてもよいし、不良を示すデータをＩＣタグ２から受信した地点からの高度（相対値）を測定するものとしてもよい。高度測定部３９は、これらが所定高度以上となることを測定する。
【００３６】
警報発生部４０は、ＩＣタグ２から読み取ったデータが電柱１の不良状態を示すものであるとデータ処理部３４が検出した場合、ディスプレイ２０、スピーカ２６、発光素子２８、振動素子２９から不良の度合に応じた警報を発生させる。
【００３７】
スピーカ２６は、警報を音声で知らせるものである。尚、音声は、不良の度合に応じて、異なる内容が設定されている。スピーカ２６から出力される音声によって、例えば、作業者が昇柱中であるためＩＣタグ読み取り携帯装置４を見ることができないような状態においても、電柱が不良であることを知らせることができる。
【００３８】
発光素子２８は、警報を光で知らせるものである。尚、発光素子２８は昼間でも発光が認識できる閃光発光を行うこととする。また、発光の強度は、不良の度合に応じて例えば２段階の強度に設定されている。発光素子２８の発光により、例えば、夜間の閑静な住宅地など音声を出力すると迷惑となるような状況において、電柱が不良であることを効果的に知らせることができる。
【００３９】
振動素子２９は、例えばバイブレーション機能を有し、警報を振動で知らせるものである。尚、振動の強度は、不良の度合に応じて例えば２段階の強度に設定されている。振動素子２９の振動により、例えば、道路の騒音等によって音声を聞き取ることが困難であり、また発光にも気づきにくい日中の場合において、電柱が不良であることを効果的に知らせることができる。
【００４０】
ディスプレイ２０は、警報を映像の表示によって知らせるものである。ディスプレイに表示される不良の位置、種類、度合などの視覚情報によって、電柱の不良内容を作業者に容易に認識させることができる。
【００４１】
警報停止部２４は、例えば、図２に示すようなボタン２４であり、作業者による当該ボタン２４の押込等によって、警報発生部４０による警報の発生を停止させるものである。
【００４２】
以下、警報停止部２４による指示（停止指示）に基づいて警報発生部４０による警報の発生を停止することを確認処理と称する。
【００４３】
尚、本実施の形態では、ＩＣタグ読み取り携帯装置４に警報を発生する手段としてディスプレイ２０、スピーカ２６、発光素子２８、振動素子２９を設けることとしたが、これらを選択的に設けて警報を発生するようにしてもよい。また、ディスプレイ２０、スピーカ２６、発光素子２８、振動素子２９を全て設け、状況（例えば場所や時間帯）に応じて警報の発生方法を選択できるようにしてもよい。警報を発生する部分を多くするほど、電柱が不良であることをより確実に知らせることができる。
【００４４】
＝＝＝ＩＣタグ読み取り携帯装置の動作＝＝＝
図６及び図７を参照しつつ、本発明にかかるＩＣタグ読み取りＩＣタグ読み取り携帯装置の動作について説明する。図６は、ＩＣタグ読み取り携帯装置４のディスプレイ２０による警報の一例を示す図であり、図７は、ＩＣタグ読み取り携帯装置４の警報発生部４０による警報の一例を示す図である。
【００４５】
まず、電柱１の点検時において不良が発見された場合、不良の位置、種類、度合を示すデータがリーダ／ライタによってＩＣタグ２のＩＣチップ６ａの記憶部５に記録される。
【００４６】
電線の工事や故障修理の作業のため作業者が電柱１のＩＣタグ２に近接すると、ＩＣタグ２は、記憶部５に記録されたデータを、電柱１の識別番号とともにアンテナ６ｂから送信し、ＩＣタグ読み取り携帯装置４は、ＩＣタグ２から送信されたデータを送受信部３０によって受信して読み取る。
【００４７】
このデータの送受信は、電源を有しない非接触ＩＣカードの場合と同じ原理で行われる。すなわち、ＩＣタグ読み取り携帯装置４の送受信部３０からは微小な電波で呼び出しが行われるようになっている。そして、電波の届く距離までＩＣタグ読み取り携帯装置４をＩＣタグ２に近接させると、微小な電力がＩＣタグ２の電気回路６内に発生する。ＩＣタグ２は、その電力によってＩＣチップ６ａの記憶部５に記録されたデータを自動的にアンテナ６ｂから送信する。そして、ＩＣタグ読み取り携帯装置４は、前記データを送受信部３０によって受信することになる。
【００４８】
尚、ＩＣタグ読み取り携帯装置４による電波の届く範囲の設定及びＩＣタグ２の電柱１への取り付け位置に応じて、電柱１への昇柱前にデータの送受信が行われる場合もあり、電柱１に昇柱中にデータの送受信が行われる場合もあることになる。
【００４９】
データ処理部３４は、送受信部３０が受信したデータが電柱１の不良状態を示すものであることを検出すると、警報発生部４０に警報を発生するように指示する。
【００５０】
ディスプレイ２０は、データ処理部３４の検出に基づいて例えば図６に示すような表示を行う。図６は、識別番号で示す電柱１の下部にレベル２の損傷があることを示している。さらに、警報発生部４０は、スピーカ２６、発光素子２８、振動素子２９によって警報を発生する。以下、スピーカ２６、発光素子２８、振動素子２９による警報を不良の度合に応じて説明する。
【００５１】
≪度合データがレベル１の場合≫
データ処理部３４で検出された度合データがレベル１の場合には図７に示すように、スピーカ２６は、例えば「電柱の点検をして下さい。」という音声を出力する。また、発光素子２８は、前述した２段階の強度のうち弱い方の強度で発光する。また、振動素子２９は、前述した２段階の強度のうち弱い方の強度で振動する。これらの警報は、例えばタイマ（不図示）を設けることによって、警報の発生から一定期間で終了するようにしてもよいし、確認処理が為されるまで続くようにしてもよい。一定期間で警報が終了するようにした場合には、確認処理を行わずに昇柱することによって所定高度以上となることを高度測定部３９が測定すると、データ処理部３４は、記憶部３２に記憶されたデータに基づいて警報発生部４０に前述の警報を再度発生するように指示する。
【００５２】
尚、度合データがレベル１で、確認処理を行った場合には、所定高度以上となることを高度測定部３９が測定しても警報を発生しないようになっている。
【００５３】
≪度合データがレベル２の場合≫
データ処理部３４で検出された度合データがレベル２の場合には図７に示すように、スピーカ２６は、例えば「危険です。昇らないでください。」という音声を出力する。また、発光素子２８は２段階の強度のうち強い方の強度で発光し、振動素子２９は、２段階の強度のうち強い方の強度で振動するようにする。これたらの警報は一定期間で終了するようにしてもよいし、確認処理が為されるまで続くようにしてもよい。
【００５４】
レベル２において一定期間で警報が終了するようにした場合、高度測定部３９が所定高度以上となったことを測定すると、データ処理部３４は、確認処理に関係なく、記憶部３２に記憶されたデータに基づいて警報発生部４０に前述の警報を再度発生するよう指示するようにする。
【００５５】
尚、所定高度とは、高度測定部３９に予め設定された高さであり、地面からの高さの絶対値でもよいし、例えば電柱１に昇柱を始めたときにＩＣタグ２からデータを受信した場合には、データを受信した高さからの相対値としてもよい。このように、レベル２において確認処理にかかわらず、所定高度以上となったときに警報を発生するようにしておくことによって、昇柱禁止の電柱に昇柱することを確実に防止することができる。
【００５６】
また、このとき警報のレベル（例えば発光素子２８の光の強度や振動素子２９の振動の強度）を徐々に上げていくようにするようにしてもよい。こうすることにより、電柱１が不良であることを確実に知らせることができる。特に昇柱時に警報が発生することになる場合に効果的である。例えば、昇柱時において作業員が突然の警報（例えば、発光や振動）に驚いて電柱１の足場５０又は梯子５２から足を滑らしてしまう等の危険を防止することができる。
【００５７】
尚、本実施の形態では、警報停止部２４を設け、警報を確認すると警報を停止できるようにしたが、例えばタイマによって一定期間で警報が終了するようにした場合には、警報停止部２４を設けなくてもよい。その場合、例えば不良を示すデータをＩＣタグ２から読み取り、かつ所定高度以上であることを高度測定部３９が測定することによって警報を発生するようにしてもよい。このことにより、昇柱禁止の電柱に所定高度以上昇柱することを防止できる。
【００５８】
また、本実施の形態では、不良状態を示すデータとして、度合データ、位置データ、種類データを設けることとしたが、このうちの少なくとも１つを設けるようにしてもよい。位置データ、又は種類データのみによっても電柱が不良である場合に警報を発生するようにすることができる。また、例えば警報を受けて電柱の不良を確認する場合、不良箇所の特定および昇柱出来るか否かの確認を容易に行うことができる。
【００５９】
以上説明したように、本発明のＩＣタグ読み取りＩＣタグ読み取り携帯装置は、ＩＣタグに記憶された電柱の不良状態を示すデータを自動的に読み取り警報を発生することにより、電柱が不良であることを知らせることができる。
【００６０】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００６１】
【図１】本発明の実施形態に係るＩＣタグ読み取り携帯装置を示すブロック図である。
【図２】本発明の実施形態に係るＩＣタグ読み取り携帯装置を示す正面図である。
【図３】本発明の実施形態に係るＩＣタグ読み取り携帯装置を用いたシステム構成を示す図である。
【図４】ＩＣタグの構成を示す図である。
【図５】ＩＣタグに保持部材を設けた一例を示す図である。（ａ）は、保持部材を設けたＩＣタグの斜視図であり、（ｂ）はＩＣタグを電柱に取り付けた場合を示す斜視図である。
【図６】本発明の実施形態に係るＩＣタグ読み取り携帯装置のディスプレイによる警報を示す図である。
【図７】本発明の実施形態に係るＩＣタグ読み取り携帯装置の警報発生部による警報を示す図である。
【符号の説明】
【００６２】
１  電柱                            ２  ＩＣタグ
３  柱上安全帯                      ４  ＩＣタグ読み取り携帯装置
５、３２  記憶部                    ６  電気回路
６ａ  ＩＣチップ                    ６ｂ  アンテナ
７  ベース部材                      ８  合成樹脂
１０  バンド                        １０ａ  係止突片
１２ａ  係止輪                      １２ａ  係止輪
２０  ディスプレイ                  ２４  警報停止部
２６  スピーカ                      ２８  発光素子
２９  振動素子                      ３０  送受信部
３４  データ処理部                  ３８  入力部
３９  高度測定部                    ４０  警報発生部
５０  足場                          ５２  梯子
【図１】
2007115086.tif 000003
【図２】
2007115086.tif 000004
【図３】
2007115086.tif 000005
【図４】
2007115086.tif 000006
【図５】
2007115086.tif 000007
【図６】
2007115086.tif 000008
【図７】
2007115086.tif 000009